(57)【要約】【課題】インテグラルヒンジを介して互いに一体に連結された第１及び第２のパネル基材を有し、第１及び第２のパネル基材は、その両パネル基材の表面がほぼ平坦となった開状態から、その表面の側に相対的に回動可能にインテグラルヒンジを介して連結されているパネル体において、第１及び第２のパネル基材が、開状態からその裏面の側に回動することを阻止する。【解決手段】第１及び第２のパネル基材６，７が開状態にあるときにインテグラルヒンジ５に沿って互いに対向して延びる第１及び第２のパネル基材６，７の端面１０，１５の一部に、第１及び第２のパネル基材６，７が開状態よりもそのパネル基材６，７の裏面２１，２２の側に回動することを禁止する回動規制突部２６，２７を形成する。【選択図】図６
2008162193.tif 000002
【特許請求の範囲】
【請求項１】
インテグラルヒンジを介して互いに一体に連結された樹脂製の第１及び第２のパネル基材を有し、該第１及び第２のパネル基材は、その両パネル基材の表面がほぼ平坦となった開状態から、該表面の側に相対的に回動可能に前記インテグラルヒンジを介して連結されている折り畳み可能なパネル体において、前記第１及び第２のパネル基材が前記開状態にあるときに、前記インテグラルヒンジに沿って互いに対向して延びる第１及び第２のパネル基材の端面の長手方向における一部の領域に、第１及び第２のパネル基材が前記開状態よりも当該パネル基材の裏面の側に相対的に回動することを禁止する回動規制突部が形成されていることを特徴とするパネル体。
【請求項２】
前記第１及び第２のパネル基材が前記開状態にあるとき、該第１のパネル基材は、第２のパネル基材に形成された切欠に嵌合し、該第１のパネル基材の一辺と、前記切欠を区画する第２のパネル基材の一辺とが、前記インテグラルヒンジを介して一体に連結されている請求項１に記載のパネル体。
【発明の詳細な説明】
【技術分野】
【０００１】
本発明は、インテグラルヒンジを介して互いに一体に連結された樹脂製の第１及び第２のパネル基材を有し、該第１及び第２のパネル基材は、その両パネル基材の表面がほぼ平坦となった開状態から、該表面の側に相対的に回動可能に前記インテグラルヒンジを介して連結されている折り畳み可能なパネル体に関するものである。
【背景技術】
【０００２】
上記形式のパネル体は、例えば自動車のラゲージルームの床パネルに形成された収納凹部の上部開口を覆う蓋や、部屋の内部空間を仕切る仕切壁や、建築物の内装壁材などとして広く利用することができる（特許文献１）。このようなパネル体においては、第１及び第２のパネル基材がその開状態から、該パネル基材の裏面の側に相対的に回動することを禁止する必要のあることが少なくない。かかる要求を満たすには、例えば、第１及び第２のパネル基材が開状態にあるとき、インテグラルヒンジに沿って互いに対向して延びる第１及び第２のパネル基材の端面を、その長手方向全長に亘って互いに当接させるように構成することが考えられる。このようにすれば、開状態にある第１及び第２のパネル基材の各端面が互いに当接して、両パネル基材が相対的にその裏面の側に回動することを阻止することができる。
【０００３】
ところが、この構成を採用すると、表面の側に折り畳んでいた第１及び第２のパネル基材を、手操作によって開状態に回動させるとき、その両パネル基材の端面の間に操作者の指が挟まれてしまい、操作者に不快感を与えるおそれがある。
【０００４】
【特許文献１】特開平１０−７１６５２号公報
【発明の開示】
【発明が解決しようとする課題】
【０００５】
本発明の目的は、第１及び第２のパネル基材が、開状態から、その裏面の側に相対的に回動することを阻止できると共に、操作者に不快感を与えるおそれを効果的に軽減することのできる冒頭に記載した形式のパネル体を提供することにある。
【課題を解決するための手段】
【０００６】
本発明は、上記目的を達成するため、冒頭に記載した形式のパネル体において、前記第１及び第２のパネル基材が前記開状態にあるときに、前記インテグラルヒンジに沿って互いに対向して延びる第１及び第２のパネル基材の端面の長手方向における一部の領域に、第１及び第２のパネル基材が前記開状態よりも当該パネル基材の裏面の側に相対的に回動することを禁止する回動規制突部が形成されていることを特徴とするパネル体を提案する（請求項１）。
【０００７】
その際、前記第１及び第２のパネル基材が前記開状態にあるとき、該第１のパネル基材は、第２のパネル基材に形成された切欠に嵌合し、該第１のパネル基材の一辺と、前記切欠を区画する第２のパネル基材の一辺とが、前記インテグラルヒンジを介して一体に連結されているように構成することができる（請求項２）。
【発明の効果】
【０００８】
本発明によれば、第１及び第２のパネル基材が、開状態から、その裏面の側に相対的に回動することを阻止できると共に、操作者に不快感を与えるおそれを効果的に軽減することができる。
【発明を実施するための最良の形態】
【０００９】
以下、本発明の実施形態例を図面に従って詳細に説明する。
【００１０】
図１は、自動車のラゲージルームの床パネル１に形成された収納凹部２に工具箱３を収納し、その凹部２の上部開口をパネル体４によって覆った状態を示す断面図である。図２はこのパネル体４の外観斜視図であり、図３は図２のIII−III線拡大断面図である。これらの図に示すように、本例のパネル体４は、矩形に形成された第１のパネル基材６と、第２のパネル基材７とを有し、第２のパネル基材７には、矩形の切欠２３が形成されている。図２に示すように、この切欠２３に第１のパネル基材６が嵌合し、その第１のパネル基材６の一辺２４と、切欠２３を区画する第２のパネル基材７の一辺２５とが、インテグラルヒンジ５を介して連結されている。
【００１１】
図１及び図３に示すように、第１及び第２のパネル基材６，７は、その内部が中空に形成されて二重壁構造に構成され、その各内部空間には、例えば発泡体より成る芯材１２，１７が設けられている。芯材１２，１７を省略することもできる。かかる第１及び第２のパネル基材６，７と、インテグラルヒンジ５は、例えばポリプロピレンなどの熱可塑性樹脂により一体に成形され、各パネル基材６，７の表面１８，１９の間にインテグラルヒンジ５が位置している。インテグラルヒンジ５の板厚は、各パネル基材６，７を構成する各壁部の板厚よりも薄くなっていて、パネル体４はインテグラルヒンジ５の部位で曲折することができる。
【００１２】
また、第１及び第２のパネル基材６，７の表面１８，１９とインテグラルヒンジ５の表面とに亘って表皮材２０が貼着されている。この表皮材２０は、例えば不織布、ポリプロピレン又はその他の樹脂より成る可撓性シート、又はカーペットなどから構成されている。表皮材２０を省略し、第１及び第２のパネル基材６，７の表面１８，１９を外部に直に露出させることもできる。
【００１３】
パネル体４が、図１に示したように収納凹部２の上部開口を覆っているとき、第１及び第２のパネル基材６，７は、その両パネル基材６，７の表面１８，１９がほぼ平坦となった開状態にある。このとき、第１及び第２のパネル基材６，７の表面１８，１９の成す角度αは、例えば１７０°乃至１９０°である。この状態が第１及び第２のパネル基材６，７の開状態である。また、第１及び第２のパネル基材６，７が開状態にあるとき、図１及び図３に示すように、インテグラルヒンジ５に沿って延びる第１及び第２のパネル基材６，７の端面１０，１５は互いに対向している。
【００１４】
収納凹部２から工具箱３を取り出すときは、パネル体４をそのインテグラルヒンジ５の個所で曲折し、第１のパネル基材６を第２のパネル基材７に対して、その表面１８，１９の側、すなわち図１に矢印Ｐで示した方向に回動して、第１のパネル基材６を図１に二点鎖線で示すように第２のパネル基材７の上に重ね合わせる。このときのインテグラルヒンジ５とその近傍のパネル基材部分の様子を図４に示す。このように第１のパネル基材６を回動して折り畳むことによって、切欠２３が開放されるので、その切欠２３から工具箱３を出し入れすることができる。次いで、上述したところと逆の操作によって、第１のパネル基材６を図１に実線で示した開位置に戻し、パネル体４によって切欠２３を覆うことができる。
【００１５】
また、収納凹部２に、図１に二点鎖線で示した大きな物品３Ａを収納するには、第１のパネル基材６を第２のパネル基材７の切欠２３に嵌合したまま、パネル体４の全体を、その左端部側を中心として図１に矢印Ｑで示す方向に回動して、収納凹部２の上部開口を大きく開放する。これにより、大きな物品３Ａを収納凹部２に自由に出し入れすることができる。
【００１６】
上述のように、本例の折り畳み可能なパネル体４は、インテグラルヒンジ５を介して互いに一体に連結された樹脂製の第１及び第２のパネル基材６，７を有し、該第１及び第２のパネル基材６，７は、その両パネル基材６，７の表面１８，１９がほぼ平坦となった開状態から、該表面１８，１９の側に相対的に回動可能にインテグラルヒンジ５を介して連結されている。
【００１７】
ところで、第１のパネル基材６が、第２のパネル基材７に形成された切欠２３に図１及び図２に示したように嵌合しているとき、その第１のパネル基材６が、インテグラルヒンジ５のまわりに、図１に矢印Ｒで示したように、収納凹部２の側に回動してしまったとすれば、その第１のパネル基材６によって切欠２３を確実に覆うことはできず、パネル体４が収納凹部２の上部開口を塞ぐ蓋としての機能を果たすことはできない。そこで、本例のパネル体４においては、次の構成が採用されている。
【００１８】
図５は、第１及び第２のパネル基材６，７が開状態にあるときに、その第１及び第２のパネル基材６，７の裏面２１，２２を図１の矢印Ｖ方向に見た拡大底面図であり、図６はパネル基材６，７を開状態からわずかな角度だけ表面１８，１９の側に回動した状態で、該第１及び第２のパネル基材６，７をその裏面２１，２２の側から見た斜視図である。図３、図５及び図６に示すように、第１及び第２のパネル基材６，７が開状態にあるときに、インテグラルヒンジ５に沿って互いに対向して延びる第１及び第２のパネル基材６，７の端面１０，１５の長手方向における一部の領域に回動規制突部２６，２７が形成されている。図示した例では、図５に示すように、端面１０，１５に２つずつの回動規制突部２６，２７が設けられているが、その数は１以上の適数に設定される。但し、その突部２６，２７は各端面１０，１５の長手方向における一部にだけ形成され、その長手方向全長に亘って形成されることはない。これらの回動規制突部２６，２７は、パネル体４の成形時に各パネル基材６，７に一体に成形するか、又はパネル体４の成形後に、その各パネル基材６，７の端面１０，１５に突部２６，２７となる部材を接着剤などによって固着してもよい。
【００１９】
図３及び図５に示すように、第１及び第２のパネル基材６，７が開状態にあるとき、各端面１０，１５に突設された回動規制突部２６，２７は互いに当接している。このため、第１及び第２のパネル基材６，７が、図１に示した開状態にあるとき、仮に、その第１のパネル基材６に上方から外力Ｆが加えられたとしても、回動規制突部２６，２７が互いに強く当接するだけで、第１のパネル基材６が図１に矢印Ｒで示した方向、すなわちそのパネル基材６の裏面２１の側に回動することはない。
【００２０】
上述のように、回動規制突部２６，２７は、第１及び第２のパネル基材６，７が、開状態よりも、そのパネル基材６，７の裏面２１，２２の側に相対的に回動することを禁止する用をなす。これにより、パネル体４は、支障なく収納凹部２の上部開口を覆う蓋としての働きをなすことができる。しかも、回動規制突部２６，２７は、第１及び第２のパネル基材６，７の端面１０，１５の全長に亘って形成されているのではなく、その一部にのみ設けられているので、図４に示したように第１のパネル基材６を第２のパネル基材７の上に折り畳んだ状態から、第１のパネル基材６を図３に示した位置まで回動させる際、操作者が回動規制突部２６，２７の間に指を挟んでしまう可能性が低くなり、操作者に不快感を与えることを防止することができる。
【００２１】
図１乃至図６に示したパネル体４は、第１及び第２のパネル基材６，７が開状態にあるとき、該第１のパネル基材６は、第２のパネル基材７に形成された切欠２３に嵌合し、その第１のパネル基材６の一辺２４と、切欠２３を区画する第２のパネル基材７の一辺２５とが、インテグラルヒンジ５を介して一体に連結されているが、本発明は他の適宜な形態のパネル体にも適用できる。例えば、図７に示すように、樹脂製の第１及び第２のパネル基材６，７をインテグラルヒンジ５によって一体に連結すると共に、その第１及び第２のパネル基材６，７の表面とインテグラルヒンジ５の表面に表皮材２０を貼着し、そのインテグラルヒンジ５を曲折させて、第１のパネル基材６を矢印Ｐで示すようにその表面側に回動させ、或いは第２のパネル基材７を矢印Ｓで示すようにその表面側に回動させ、或いは第１及び第２のパネル基材６，７を共に矢印Ｐ，Ｓ方向で示すようにその表面の側に回動させることのできるパネル体４にも、第１及び第２のパネル基材６，７がその裏面２１，２２の側に回動することを禁止するために、図３乃至図６に示した回動規制突部の構成を採用することができる。
【図面の簡単な説明】
【００２２】
【図１】自動車の収納凹部の上部開口を覆う蓋としてパネル体を用いた例を示す断面図である。
【図２】パネル体の外観斜視図である。
【図３】図２のIII−III線拡大断面図である。
【図４】第１のパネル基材を第２のパネル基材の上に回動させてパネル体を折り畳んだときの、図３と同様な断面図である。
【図５】パネル体を図１の矢印Ｖ方向に見た拡大底面図である。
【図６】第１及び第２のパネル基材の端面に形成された回動規制突部を示す斜視図である。
【図７】他の形態のパネル体の外観斜視図である。
【符号の説明】
【００２３】
５  インテグラルヒンジ
４  パネル体
６  第１のパネル基材
７  第２のパネル基材
１０，１５  端面
１８，１９  表面
２１，２２  裏面
２３  切欠
２４，２５  一辺
２６，２７  回動規制突部
【図１】
2008162193.tif 000003
【図２】
2008162193.tif 000004
【図３】
2008162193.tif 000005
【図４】
2008162193.tif 000006
【図５】
2008162193.tif 000007
【図６】
2008162193.tif 000008
【図７】
2008162193.tif 000009